(57)【特許請求の範囲】
【請求項１】
左右一対の短辺部と、これら各短辺部を上下に挟む一対の長辺部とを有する矩形状の屋根材本体からなり、前記短辺部を、隣接配置される屋根材との相互間にて妻方向に沿ってそれぞれつなぎ合わせるとともに、前記長辺部を軒から棟に向けて順次につなぎ合わせて建築構造物の屋根を葺きあげる、横葺き用屋根板材であって、
前記長辺部のうちの、棟側の長辺部に、その直上にて隣接配置される横葺き用屋根材の上ハゼに嵌合する下ハゼを設け、
前記長辺部のうちのもう一方の長辺部に、該軒側の長辺部の直下に隣接配置される横葺き用屋根材の下ハゼに嵌合する上ハゼを設け、
前記一対の短辺部のうちの、一方の短辺部に、横葺き用屋根材の外表面との間で段下がり部を形成するとともに、軒、棟方向に沿って延伸する凹凸を形成した下継手を設け、
前記一対の短辺部のうちの、もう一方の短辺部に、隣接  配置された横葺き用屋根材につき、前記下継手に重ね合わさり、かつ、前記段下がり部の端面に当接して該隣接配置された横葺き用屋根材との相互間にて平坦な外表面を形成する上継手を設け、
前記下ハゼは、軒側に向けて開放された凹部を形成する第一の折り返し部と、この第一の折り返し部の端部につながり棟側に向けて開放された凹部を形成する第二の折り返し部と、この第二の折り返し部の端部につながり屋根の下地材に連結して前記屋根材本体を固定、保持する固定片からなり、
前記上ハゼは、棟側に向けて開放された凹部を形成し、かつ、前記下ハゼの第一の折り返し部に形成された凹部に嵌合する折り返し部を有し、
前記下ハゼの幅方向の縁部に、第一の折り返し部と第二の折り返し部を相互に密着させた偏平部と、前記下継手の凹凸と同等の凹凸を設けたことを特徴とする横葺き用屋根材。
【請求項２】
左右一対の短辺部と、これら各短辺部を上下に挟む一対の長辺部とを有する矩形状の屋根材本体からなり、前記短辺部を、隣接配置される屋根材との相互間にて妻方向に沿ってそれぞれつなぎ合わせるとともに、前記長辺部を軒から棟に向けて順次につなぎ合わせて建築構造物の屋根を葺きあげる、横葺き用屋根板材であって、
前記長辺部のうちの、棟側の長辺部に、その直上にて隣接配置される横葺き用屋根材の上ハゼに嵌合する下ハゼを設け、
前記長辺部のうちのもう一方の長辺部に、該軒側の長辺部の直下に隣接配置される横葺き用屋根材の下ハゼに嵌合する上ハゼを設け、
前記一対の短辺部のうちの、一方の短辺部に、横葺き用屋根材の外表面との間で段下がり部を形成するとともに、軒、棟方向に沿って延伸する凹凸を形成した下継手を設け、
前記一対の短辺部のうちの、もう一方の短辺部に、隣接  配置された横葺き用屋根材につき、前記下継手に重ね合わさり、かつ、前記段下がり部の端面に当接して該隣接配置された横葺き用屋根材との相互間にて平坦な外表面を形成する上継手を設け、
前記上ハゼは、前記屋根材本体につながり小口を形成する縦壁と、この縦壁の下端につながり棟側に向けて折り返された横壁からなり、該上ハゼの幅方向の縁部に、該縦壁を内向きに押し込んだ、凹部を形成するとともに前記下継手の段下がり部につながる段下がり部を設けたことを特徴とする横葺き用屋根材。
【請求項３】
左右一対の短辺部と、これら各短辺部を上下に挟む一対の長辺部とを有する矩形状の屋根材本体からなり、前記短辺部を、隣接配置される屋根材との相互間にて妻方向に沿ってそれぞれつなぎ合わせるとともに、前記長辺部を軒から棟に向けて順次につなぎ合わせて建築構造物の屋根を葺きあげる、横葺き用屋根板材であって、
前記長辺部のうちの、棟側の長辺部に、その直上にて隣接配置される横葺き用屋根材の上ハゼに嵌合する下ハゼを設け、
前記長辺部のうちのもう一方の長辺部に、該軒側の長辺部の直下に隣接配置される横葺き用屋根材の下ハゼに嵌合する上ハゼを設け、
前記一対の短辺部のうちの、一方の短辺部に、横葺き用屋根材の外表面との間で段下がり部を形成するとともに、軒、棟方向に沿って延伸する凹凸を形成した下継手を設け、
前記一対の短辺部のうちの、もう一方の短辺部に、隣接  配置された横葺き用屋根材につき、前記下継手に重ね合わさり、かつ、前記段下がり部の端面に当接して該隣接配置された横葺き用屋根材との相互間にて平坦な外表面を形成する上継手を設け、
前記下ハゼは、軒側に向けて開放された凹部を形成する第一の折り返し部と、この第一の折り返し部の端部につながり棟側に向けて開放された凹部を形成する第二の折り返し部と、この第二の折り返し部の端部につながり屋根の下地材に連結して前記屋根材本体を固定、保持する固定片からなり、
前記下ハゼの幅方向の縁部に、第一の折り返し部と第二の折り返し部を相互に密着させた偏平部と、前記下継手の凹凸と同等の凹凸を設け、
前記上ハゼは、前記屋根材本体につながり小口を形成する縦壁と、この縦壁の下端につながり棟側に向けて折り返された横壁からなり、該上ハゼの幅方向の縁部に、該縦壁を内向きに押し込んだ、凹部を形成するとともに前記下継手の段下がり部につながる段下がり部を設けたことを特徴とする横葺き用屋根材。
【請求項４】
前記屋根材本体は、該屋根材本体を、軒、棟方向の中央部にて「く」の字状に屈曲させた中折れ部を有する、請求項１〜３のいずれか１に記載の横葺き用屋根材。
【請求項５】
前記屋根材本体は、その裏面に貼着される断熱材を有する、請求項１〜４のいずれか１に記載の横葺き用屋根材。
【請求項６】
請求項１〜５のいずれか１に記載の横葺き用屋根材を用いて建築構造物の屋根を葺きあげる接続構造であって、
前記屋根材本体の下継手に、該屋根本体に隣接する別の屋根材本体の上継手を重ね合わせるとともに前記屋根材本体の下ハゼの縁部、上ハゼの縁部を、該屋根材本体に隣接する別の屋根材本体の下ハゼの縁部、上ハゼの縁部でそれぞれ嵌合させて前記屋根材本体をそれぞれ妻方向に沿って接続し、
前記屋根材本体の下ハゼを、その直上にて隣接配置される横葺き用屋根材の上ハゼに嵌合させるとともに該屋根材本体の上ハゼを、その直下にて隣接配置される横葺き屋根材の下ハゼに嵌合させて軒、棟方向に接続してなる、ことを特徴とする横葺き用屋根材の接続構造。
【発明の詳細な説明】
【技術分野】
【０００１】
本発明は、一般住宅や事務所、マンション、福祉施設、リゾート施設等において幅広く使用される横葺き用屋根材及びその屋根材の接続構造に関するものであり、防水性が高く、美的外観に優れるとともに、施工作業の簡便化を図ろうとするものである。
【背景技術】
【０００２】
横葺き屋根は、妻方向に比較的長尺で、軒、棟方向において短尺な、矩形状をなす屋根材を使用するのが一般的であり、妻方向への接続作業を、軒から棟側に向けて順次繰り返し行うことによって葺きあげられる。
【０００３】
従来、横葺き屋根に使用する屋根材としては、左右の端部には横継手が、また、上下の端部にはハゼの如き継手が設けられたものが用いられており、これらの継手を利用して隣接する屋根材同士を上下（軒、棟方向）、左右（妻方向）につなぎ合わせている。
【０００４】
この点に関する先行技術としては、下記の特許文献に開示されたものが知られている。
【先行技術文献】
【特許文献】
【０００５】
【特許文献１】特開平１１―１５９０６６号公報
【発明の概要】
【発明が解決しようとする課題】
【０００６】
ところで、上掲の特許文献１に開示されているような従来の屋根材は、以下に述べるような不具合を抱えている。
【０００７】
すなわち、従来の屋根材は、それを横方向に接続する面に、該屋根材の外表面（仕上げ面）よりも突出した、山、谷を形成する凹凸を設け、この凹凸に、隣接配置される別の屋根材の凹凸を入れ込んで屋根材同士を相互につなぎ合わせていたため、その部位に段差が形成されるのが不可避であった。そのため、屋根材の接続部がはっきりと視認されることから一体感のある綺麗な仕上げを実現することが困難であった。
【０００８】
一般に、屋根材というのは、これを軒から棟へ向けて重ねたとき、接続される仕上げ面の小口が同一面内にあることが理想（継手が分かり難くなる）ではある。しかし、従来の屋根材については、水上側の折り返し部に下継手側と上継手側に段差が生じていた。
【０００９】
ところで、屋根材の前記凹凸は、一般に屋根材の仕上げ面よりも高い位置に設けることによって防水性を高めるようにしているが、棟側の折り返し部の手前には、該凹凸がなく、仕上げ面と同一の高さになっているため横方向の防水性については、無防備に近い形状になっていた。
【００１０】
また、屋根材の横継手を構成する下継手側に凹凸を設けた場合、展開長さが長くなり、軒、棟側の嵌合部の小口や折り返し部についても展開幅が同じになるように短くする必要がある（短くしない場合には、成型時に歪みが生じ、反りや捩れ、寸法不良等が発生する）。これにより、軒側の小口や折り返し部には、切り欠きを形成せざるを得ず(成型が難しい時や寸法精度の確保が難しい場合にも切り欠きが発生する)、防水性を損なう原因になっていた。
【００１１】
さらに、屋根材同士をつなぐ嵌合部の棟側の折り返し部についても、その折り返し部の手前で山、谷を形成する凹凸が止まっており、該折り返し部の剛性で寸法精度を確保することができるものの、仕上げ面と同一の高さになっていることから防水性については、やはり無防備に近い形状になっていた。
【００１２】
本発明は、防水性が高く、美的外観に優れるとともに、施工作業の簡便化を図ることができる横葺き用屋根材及びその屋根材の接続構造を提案することを目的とする。
【課題を解決するための手段】
【００１３】
本発明は、左右一対の短辺部と、これら各短辺部を上下に挟む一対の長辺部とを有する矩形状の屋根材本体からなり、前記短辺部を、隣接配置される屋根材との相互間にて妻方向に沿ってそれぞれつなぎ合わせるとともに、前記長辺部を軒から棟に向けて順次につなぎ合わせて建築構造物の屋根を葺きあげる、横葺き用屋根板材であって、
前記長辺部のうちの、棟側の長辺部に、その直上にて隣接配置される横葺き用屋根材の上ハゼに嵌合する下ハゼを設け、
前記長辺部のうちのもう一方の長辺部に、該軒側の長辺部の直下に隣接配置される横葺き用屋根材の下ハゼに嵌合する上ハゼを設け、
前記一対の短辺部のうちの、一方の短辺部に、横葺き用屋根材の外表面との間で段下がり部を形成するとともに、軒、棟方向に沿って延伸する凹凸を形成した下継手を設け、
前記一対の短辺部のうちの、もう一方の短辺部に、隣接  配置された横葺き用屋根材につき、前記下継手に重ね合わさり、かつ、前記段下がり部の端面に当接して該隣接配置された横葺き用屋根材との相互間にて平坦な外表面を形成する上継手を設け、
前記下ハゼは、軒側に向けて開放された凹部を形成する第一の折り返し部と、この第一の折り返し部の端部につながり棟側に向けて開放された凹部を形成する第二の折り返し部と、この第二の折り返し部の端部につながり屋根の下地材に連結して前記屋根材本体を固定、保持する固定片からなり、
前記上ハゼは、棟側に向けて開放された凹部を形成し、かつ、前記下ハゼの第一の折り返し部に形成された凹部に嵌合する折り返し部を有し、
前記下ハゼの幅方向の縁部に、第一の折り返し部と第二の折り返し部を相互に密着させた偏平部と、前記下継手の凹凸と同等の凹凸を設けたことを特徴とする横葺き用屋根材である。
また、本発明は、左右一対の短辺部と、これら各短辺部を上下に挟む一対の長辺部とを有する矩形状の屋根材本体からなり、前記短辺部を、隣接配置される屋根材との相互間にて妻方向に沿ってそれぞれつなぎ合わせるとともに、前記長辺部を軒から棟に向けて順次につなぎ合わせて建築構造物の屋根を葺きあげる、横葺き用屋根板材であって、
前記長辺部のうちの、棟側の長辺部に、その直上にて隣接配置される横葺き用屋根材の上ハゼに嵌合する下ハゼを設け、
前記長辺部のうちのもう一方の長辺部に、該軒側の長辺部の直下に隣接配置される横葺き用屋根材の下ハゼに嵌合する上ハゼを設け、
前記一対の短辺部のうちの、一方の短辺部に、横葺き用屋根材の外表面との間で段下がり部を形成するとともに、軒、棟方向に沿って延伸する凹凸を形成した下継手を設け、
前記一対の短辺部のうちの、もう一方の短辺部に、隣接  配置された横葺き用屋根材につき、前記下継手に重ね合わさり、かつ、前記段下がり部の端面に当接して該隣接配置された横葺き用屋根材との相互間にて平坦な外表面を形成する上継手を設け、
前記上ハゼは、前記屋根材本体につながり小口を形成する縦壁と、この縦壁の下端につながり棟側に向けて折り返された横壁からなり、該上ハゼの幅方向の縁部に、該縦壁を内向きに押し込んだ、凹部を形成するとともに前記下継手の段下がり部につながる段下がり部を設けたことを特徴とする横葺き用屋根材である。
さらに、本発明は、左右一対の短辺部と、これら各短辺部を上下に挟む一対の長辺部とを有する矩形状の屋根材本体からなり、前記短辺部を、隣接配置される屋根材との相互間にて妻方向に沿ってそれぞれつなぎ合わせるとともに、前記長辺部を軒から棟に向けて順次につなぎ合わせて建築構造物の屋根を葺きあげる、横葺き用屋根板材であって、
前記長辺部のうちの、棟側の長辺部に、その直上にて隣接配置される横葺き用屋根材の上ハゼに嵌合する下ハゼを設け、
前記長辺部のうちのもう一方の長辺部に、該軒側の長辺部の直下に隣接配置される横葺き用屋根材の下ハゼに嵌合する上ハゼを設け、
前記一対の短辺部のうちの、一方の短辺部に、横葺き用屋根材の外表面との間で段下がり部を形成するとともに、軒、棟方向に沿って延伸する凹凸を形成した下継手を設け、
前記一対の短辺部のうちの、もう一方の短辺部に、隣接  配置された横葺き用屋根材につき、前記下継手に重ね合わさり、かつ、前記段下がり部の端面に当接して該隣接配置された横葺き用屋根材との相互間にて平坦な外表面を形成する上継手を設け、
前記下ハゼは、軒側に向けて開放された凹部を形成する第一の折り返し部と、この第一の折り返し部の端部につながり棟側に向けて開放された凹部を形成する第二の折り返し部と、この第二の折り返し部の端部につながり屋根の下地材に連結して前記屋根材本体を固定、保持する固定片からなり、
前記下ハゼの幅方向の縁部に、第一の折り返し部と第二の折り返し部を相互に密着させた偏平部と、前記下継手の凹凸と同等の凹凸を設け、
前記上ハゼは、前記屋根材本体につながり小口を形成する縦壁と、この縦壁の下端につながり棟側に向けて折り返された横壁からなり、該上ハゼの幅方向の縁部に、該縦壁を内向きに押し込んだ、凹部を形成するとともに前記下継手の段下がり部につながる段下がり部を設けたことを特徴とする横葺き用屋根材である。
【００１６】
前記屋根材本体には、該屋根材本体を、軒、棟方向の中央部にて「く」の字状に屈曲させた中折れ部を形成するのが望ましい。
【００１７】
さらに、屋根材本体は、その裏面に貼着される断熱材を設けることができる。
【００１８】
また、本発明は、上記の構成からなる横葺き用屋根材を用いて建築構造物の屋根を葺きあげる接続構造であって、前記屋根材本体の下継手に、該屋根本体に隣接する別の屋根材本体の上継手を重ね合わせるとともに前記屋根材本体の下ハゼ、上ハゼの縁部を、該屋根材本体に隣接する別の屋根材本体の下ハゼの縁部、上ハゼの縁部にそれぞれ嵌合させて前記屋根材本体をそれぞれ妻方向に沿って接続し、
前記屋根材本体の下ハゼを、その直上にて隣接配置される横葺き用屋根材の上ハゼに嵌合させるとともに該屋根材本体の上ハゼを、その直下にて隣接配置される横葺き屋根材の下ハゼに嵌合させて軒、棟方向に接続してなる、ことを特徴とする横葺き用屋根材の接続構造である。
【発明の効果】
【００１９】
屋根材本体の短辺部の一方に該屋根材本体の厚さよりも薄くなるように段下がり部を形成し、もう一方に該下継手に重ね合わせた際に接続面に段差のない平坦な外表面が形成される上継手を設けるようにしたため、接続部が分かり難く、一体感のある屋根に葺きあげられる。
【００２０】
下継手に形成された段下がりの部の上面（重ね合わせ面）に、軒、棟方向に沿って延伸する凹凸を設けることにより、上継手との当接部から雨水が侵入したとしても該雨水は屋根の勾配により該凹部に沿いすぐさま軒側へと排出されるため、防水性も高い。
【００２１】
長辺部の下ハゼを、軒側に向けて開放させた凹部を形成する第一の折り返し部と、この第一の折り返し部の端部につながり棟側に向けて開放させた凹部を形成する第二の折り返し部と、この第二の折り返し部の端部につながり屋根の下地材に連結して前記屋根材本体を固定、保持する固定部にて構成し、上ハゼに、棟側に向けて開放された凹部を形成し、かつ、前記下ハゼの第一の折り返し部に形成された凹部に嵌合する折り返し部を設けることにより、屋根材を嵌合により簡便につなぎ合わせることが可能となり、葺きあげ作業の簡便化が図られる。
【００２２】
下ハゼの幅方向の縁部（隣接配置された板材との接続関係では下ハゼとなる部分）に、第一の折り返し部と第二の折り返し部を相互に密着させるような偏平部を設けることにより、屋根材を妻方向に向けて接続する際、隣接配置する別の屋根材との下ハゼに嵌合させるだけの簡単な作業で屋根材同士を接続することができ、施工が簡単になる。また、下ハゼの幅方向の縁部に、下継手の凹凸と同じ凹凸を設けることにより展開長さを等しくすることが可能となる。これにより、切り欠き部を形成する必要がなくなり、防水性が高まる。
【００２３】
また、上ハゼを、前記屋根材本体につながる縦壁（小口を形成する壁）と、この縦壁の下端につながり棟側に向けて折り返された横壁とで構成し、該上ハゼの幅方向の縁部における縦壁に、下継手の段下がり部と同等の段下がり部を形成することで、隣接配置される別の屋根材の上ハゼに嵌合させるだけの簡単な作業で屋根材同士を接続することができる。また、上ハゼの幅方向の縁部の縦壁を内側に向けて押し込んで凹部を設けることで、下継手の凹凸と同じ展開長さとすることが可能となる。
【００２４】
前記屋根材本体に、軒、棟方向の中央部にて「く」の字状に屈曲させた中折れ部を設けることにより屋根材のべこ付きや座屈を防止することができる。
【００２５】
また、屋根材本体の裏面に断熱材を貼着しておくことで、断熱あるいは保温効果等を高めることができる。
【００２６】
屋根材本体の下継手に、該屋根本体に隣接する別の屋根材本体の上継手を重ね合わせるとともに屋根材本体の下ハゼ、上ハゼを、該屋根材本体に隣接する別の屋根材本体の下ハゼ、上ハゼにそれぞれ嵌合させる接続構造により、簡便で効率的な横葺き作業が実現できる。
【図面の簡単な説明】
【００２７】
【図１】本発明に従う横葺き用屋根材の実施の形態を示した正面図である。
【図２】図２は図１の背面図である。
【図３】図３は図１の平面図である。
【図４】図４は図１の底面図である。
【図５】図５は図１のＡ−Ａ部の拡大端面図である。
【図６】図６は図１のＢ−Ｂ部の拡大端面図である。
【図７】図７は図１のＣ−Ｃ部の拡大図である。
【図８】図８は図２のＤ−Ｄ部の拡大図である。
【図９】図９は図３のＥ−Ｅ部の拡大図である。
【図１０】図１０は図４のＦ−Ｆ部の拡大図である。
【図１１】図１１は図７のＩ−Ｉ部の拡大端面図である。
【図１２】図１２は図１のＢ―Ｂ部の外観斜視図である。
【図１３】横葺き屋根材を妻方向に接続した状態を示した図である。
【図１４】図１３のＪ―Ｊ部の拡大端面を示した図である。
【図１５】図１４のＫ−Ｋ部の拡大図である。
【図１６】図１４のＬ−Ｌ部の拡大図である。
【図１７】屋根材の接続部を拡大して示した図である。
【図１８】図１７のＭ−Ｍ部を拡大した図である。
【図１９】横葺き用屋根材を、軒、棟方向に接続した状態の断面を示した図である。
【図２０】接続部の断面を示した図である。
【図２１】横葺き屋根の完成状態を示した図である。
【図２２】断熱材の貼着状況の説明図である。
【図２３】断熱材の貼着状況の説明図である。
【発明を実施するための形態】
【００２８】
以下、図面を参照して、本発明をより具体的に説明する。
図１は、本発明に従う横葺き用屋根材の実施の形態を示した正面図であり、図２は図１の背面図、図３は図１の平面図、図４は図１の底面図である。
【００２９】
また、図５は図１のＡ−Ａ部の拡大端面図であり、図６は図１のＢ−Ｂ部の拡大端面図、図７は図１のＣ−Ｃ部の拡大図、図８は図２のＤ−Ｄ部の拡大図、図９は図３のＥ−Ｅ部の拡大図、図１０は図４のＦ−Ｆ部の拡大図、図１１は図７のＩ−Ｉ部の拡大端面図であり、図１２は図１のＢ―Ｂ部の外観斜視図である。
【００３０】
図１〜図１２における符号１は、亜鉛めっき鋼板、アルミニウム亜鉛合金めっき鋼板、アルミニウム板、ステンレス鋼板、銅板等によって形成することができる屋根材本体である。この屋根材本体１は、左右一対の短辺部１ａ、１ｂと、これら各短辺部１ａ、１ｂを上下（軒、棟方向）に挟む長辺部１ｃ、１ｄとを有する矩形状の幅広、短尺材にて構成される。ここに、長辺部１ｃを軒側の長辺部とし、長辺１ｄを棟側の長辺部とする。
【００３１】
また、２は、棟側の長辺部１ｄに設けられた下ハゼである。この下ハゼ２は、その直上に隣接配置される別の横葺き用屋根材の上ハゼに嵌合して屋根材本体１同士を接続する。
【００３２】
下ハゼ２は、この例では、図５に示すように、軒側に向けて開放された凹部を形成する第一の折り返し部２ａと、この第一の折り返し部２ａの端部につながり棟側に向けて開放された凹部を形成する第二の折り返し部２ｂと、この第二の折り返し部２ｂの端部につながり屋根の下地材に連結して前記屋根材本体１を固定、保持する固定片２ｃから構成されている。
【００３３】
ここに、下ハゼ２の幅方向の縁部には、図６に示すように、後述する下継手と同じ範囲にわたって第一の折り返し部２ａ、第二の折り返し部２ｂを相互に密着させて上反りさせた偏平部ｈが形成されている。この偏平部ｈは、下継手に形成される段下がり部と同等の段下がり部を形成するものであり（図１２の符号２ｅ参照）、これによって妻方向に隣接配置される別の屋根材をつなぎ合わせても下ハゼ２において段差が生じることがないようになっている。
【００３４】
また、３は、軒側の長辺部１ｃに設けられた上ハゼである。この上ハゼ３は、その直下に隣接配置される横葺き用屋根材の下ハゼ２に嵌合して屋根材本体同士を接続する（屋根材本体が軒に位置する場合には、軒先水切りと嵌合する。図１９参照）。
【００３５】
上ハゼ３は、屋根材本体１につながる縦壁（小口を形成する壁）３ａと、この縦壁３ａの下端につながり棟側に向けて折り返された横壁（折り返し部）３ｂから構成される（図５参照）。上ハゼ３の幅方向の縁部における縦壁３ａには、該縦壁３ａの面よりも低い段下がり部３ｃが設けられている（図１２参照）。
【００３６】
上ハゼ３の縦壁３ａ、横壁３ｂによって棟側に向けて開放させた凹部が形成され、該横壁３ｂが下ハゼ２の第一の折り返し部２ａに形成された凹部に嵌合することによって屋根材本体１が軒、棟方向においてつなぎ合わさる（図１９参照）。
【００３７】
４は、短辺部１ａに設けられた下継手である。この下継手４は、横葺き用屋根材の外表面よりも低くなる該段下がり部４ａが形成されており、かつ、軒、棟方向に沿って延伸する凹４ｂ、凸４ｃが複数本設けられている。凸４ｃの突端面は、屋根材の外表面よりも低い位置にある。
【００３８】
５は、短辺部１ｂに設けられた上継手である。この上継手５は、妻方向（横方向）に隣接配置された別の屋根材の下継手４に重ね合わさるものであり、その先端が段下がり部４ａの側端面に当接して隣接配置された屋根材との相互間にて平坦な外表面を形成する。上継手５の先端部には屋根材の裏面側に向けて折り曲げられた、折り返し部５ａが設けられている（図２０参照）。
【００３９】
６は、下ハゼ２の縁部(固定片２ｃ)に設けられた凹凸である。この凹凸６は、下継手４の凹４ｂ、凸４ｃと同じ展開長さを確保するために設けられるものであって、これにより切り欠き部の形成を不要にしている。
【００４０】
７は、上ハゼ３の幅方向の縁部に形成された段下がり部３ｃにおいて、縦壁３ａを内向きに押し込んで形成された凹部（図６参照）、８は、上ハゼ３の横壁３ｂに設けられた凹凸である（図８、図１１、図１２参照）。
【００４１】
さらに、９は、屋根材本体１の、軒、棟方向の中央部に設けられた中折れ部である。この中折れ部９は屋根材本体１の幅方向に沿って形成されており、該屋根材本体１を「く」の字上に屈曲させる屈曲線によって形成するものである。この中折れ部９により、屋根材本体１のべこ付き、座屈を防止する。なお、この中折れ部９は必ずしも設ける必要はなく、該中折れ部９を形成しない場合には屋根材本体１は平面状(フラット)になる。
【００４２】
上掲図１〜１２に示した横葺き用屋根材を、妻方向に接続した状態を図１３に示すとともに、図１４に図１３のＪ―Ｊ部の拡大端面を、図１５に図１４のＫ−Ｋ部の拡大図を、図１６に図１４のＬ−Ｌ部の拡大図を、図１７に屋根材の接続部を拡大して示した図を、さらに、図１８に図１７のＭ−Ｍ部を拡大した図をそれぞれ示す。また、図１９に、横葺き用屋根材を、軒、棟方向に接続した状態の断面を示す。
【００４３】
本発明に従う横葺き用屋根材は、下継手４に屋根材本体１の外表面よりも低くなる段下がり部４ａが形成されていることから、図１３〜図１８に示したところからも明らかなように、隣接する屋根材の上継手５を重ね合わせて接続しても段差が形成されることはなく、接続部が平坦化された一体感のある屋根に葺きあげられる。
【００４４】
また、上ハゼ３の幅方向の縁部に、段下がり部４と同等の段下がり部３ｃを形成することにより、隣接する屋根材の上ハゼ３の縦壁３ａが重ね合わさっても、この部位に段差が形成されることもない（平坦面をもった小口となる、図１６参照  ）。
【００４５】
屋根材の接続部（横方向）から雨水が侵入した場合は、該雨水は段下がり部４ａの上面（重ね合わせ面）に設けられた凹４ｂに沿いすぐさま軒側へと排出される。凹４ｂ、凸４ｃは横方向からの雨水に対し少なくとも３つ程度設けるのがよく、これにより、雨水が侵入しても屋根の勾配によって一つ目の凹４ｂから順次、軒側へ排出される。
【００４６】
屋根の勾配が緩い場合や大雨時の浸水を考慮し、中間部に位置する凸４ｃの突端に、上継手５の裏面に当接する図２０に示すような防水テープｔを設けておくのがよい。これにより雨水の侵入を確実に回避できる。
【００４７】
下ハゼ２の縁部（下継手４が形成される部位）に、下継手４の凹４ｂ、凸４ｃと同じ凹凸６を設け、第一の折り返し部２ａと第二の折り返し部２ｂとを相互に接触せるべく、偏平部ｈを設けることにより展開長さを揃えることが可能となり防水性に影響を与えるような切り欠きは不要となる。とくに、偏平部ｈは、折り返し部２ａ、２ｂが二枚重ねになっているので剛性が高く、段下がり部４ａに設けたような凹凸を付与せずとも反りや捩れが生じることはない。
【００４８】
また、上ハゼ３の幅方向の縁部（下継手４が形成される部位）において、縦壁３ａに凹部７を形成し、横壁３ｂに凹凸８を設けるようにしたが、その理由は、下継手４の凹４ｂ、凸４ｃはプレス機によって形成されるので、その深さ分だけ展開長さが増え、該下継手４が屋根材の幅方向に向けて縮むことになり、該縦壁３ａ、横壁３ｂについてもこれに合わせる必要があるからである。縦壁３ａに凹部７を形成し、横壁３ｂに凹凸８を設けることで、下継手４の展開長さと同じ展開長さに調節することができ、ここにおいても凹凸６と同様、防水性に影響を与えるきり欠き部は不要となる。
【００４９】
とくに縦壁３ａは谷のため、深く加工した分、外側に向かって飛び出してくるので、そのため、縦壁３ａの幅方向の縁部については凹部７を設けるのが肝要となる。
【００５０】
本発明の実施例では、前記屋根材本体１に、軒、棟方向の中央部にて「く」の字状に屈曲させた中折れ部９を設けた場合について示したが、本発明においては中折れ部９を形成するものに限定されることはなく、平坦な外表面を有する屋根材を適用することもできる。
【００５１】
上記の構成からなる横葺き用屋根材は、屋根材本体１の下継手４に、該屋根本体１に隣接する別の屋根材本体１の上継手５を重ね合わせ、この作業を繰り返すだけでよい。横方向における葺きあげが終了したならば、該屋根材本体１の下ハゼ２を、その直上にて隣接配置される横葺き用屋根材の上ハゼ３に嵌合させるとともに下継手４と上継手５との重ね合わせを行いながら再び横方向への葺きあげを行う。
【００５２】
本発明に従う横葺き用屋根材を用いて屋根を葺きあげるには具体的に以下の施工手順に従えばよい。
【００５３】
まず、図１９に示すように、野地板ｎにルーフィングｍを施設したのち、軒先に水切り１０を取り付け、屋根材本体１の上ハゼ３を該水切り１０に嵌合させる。
【００５４】
次いで、屋根材の下ハゼ２の固定部２ｃを、フールティングｍの上におき、釘やビス等で野地板、垂木あるいは母屋などに必要な間隔で固定する。そして、屋根材本体１が固定されたならばその下継手４に別の屋根材の上継手５を重ね合わせて隣接配置する。以降、この作業を繰り返して妻方向へと葺いていき、妻方向の端部(軒の端部)まで葺いたのちは、上段の棟側で同じ作業を行う。
【００５５】
軒、棟方向において屋根材を接続するには、固定し終えた屋根材の下ハゼ２の第一の折り返し部２ａにその直上に隣接配置される屋根材の上ハゼ３の横壁３ｂを差し込んで嵌合させ、当該屋根材の下ハゼ２の固定部２ｃを野地板に固定すればよく、この作業も繰り返して軒、棟方向へ葺いていけばよい。図２１に、横葺き屋根が葺きあげられた状態（完成）を示す。
【００５６】
本発明に従う横葺き用屋根材は、断熱あるいは保温等の効果を高めることを目的として、該屋根材の裏面に図２２、図２３に示すような範囲にわたって断熱材１１を貼着しておくこともできる(図２２は断熱材を貼着させる範囲を二点鎖線で表示している)。
【産業上の利用可能性】
【００５７】
本発明によれば、防水性が高く、屋根材相互の接続部が分かり難い一体感のある横葺き屋根を簡便に葺き上げることが可能な屋根材およびその接続構造が提供できる。
【符号の説明】
【００５８】
１    屋根材本体
１ａ  短辺部
１ｂ  短辺部
１ｃ  長辺部
１ｄ  長辺部
２    下ハゼ
２ａ  第一の折り返し部
２ｂ  第二の折り返し部
２ｃ  固定片
３    上ハゼ
３ａ  縦壁
３ｂ  横壁
３ｃ  段下がり部
４    下継手
４ａ  段下がり部
４ｂ  凹
４ｃ  凸
５    上継手
６    凹凸
７    凹部
８    凹凸
９    中折れ部
１０  水切り
１１  断熱材
ｔ    防水テープ
ｈ    偏平部
【図１】
0005502779.tif 000002
【図２】
0005502779.tif 000003
【図３】
0005502779.tif 000004
【図４】
0005502779.tif 000005
【図５】
0005502779.tif 000006
【図６】
0005502779.tif 000007
【図７】
0005502779.tif 000008
【図８】
0005502779.tif 000009
【図９】
0005502779.tif 000010
【図１０】
0005502779.tif 000011
【図１１】
0005502779.tif 000012
【図１２】
0005502779.tif 000013
【図１３】
0005502779.tif 000014
【図１４】
0005502779.tif 000015
【図１５】
0005502779.tif 000016
【図１６】
0005502779.tif 000017
【図１７】
0005502779.tif 000018
【図１８】
0005502779.tif 000019
【図１９】
0005502779.tif 000020
【図２０】
0005502779.tif 000021
【図２１】
0005502779.tif 000022
【図２２】
0005502779.tif 000023
【図２３】
0005502779.tif 000024